(57)【要約】【課題】撮像した映像信号のなかから文字データを抽出し、その抽出した文字データに基く付加情報を再生画面に重畳表示させることで、使い勝手のよい記録再生装置を提供する。【解決手段】映像記録再生装置は、撮像手段により撮像した映像信号を所定の記録媒体に記録する記録手段と、前記記録媒体に記録してある映像信号を再生して表示する再生手段と、を備えた映像記録再生装置であって、前記記録媒体に前記映像信号を記録するときに、該映像信号に含まれている文字データを抽出する文字抽出手段と、前記文字抽出手段により抽出された文字データを所定の記録媒体に記録する文字記録手段と、前記記録媒体に記録されている文字データを読み出したときに、該読み出した文字データをもとに、ネットワークを介して該文字データに関連する付加情報を収集する情報収集手段と、前記再生手段により読み出された映像信号の表示画面に、前記情報収集手段で収集した付加情報をテロップとして重畳表示させるテロップ表示手段と、を備えたことである。【選択図】    図１
2004235955.tif 000002
【特許請求の範囲】
【請求項１】
撮像手段により撮像した映像信号を所定の記録媒体に記録する記録手段と、前記記録媒体に記録してある映像信号を再生して表示する再生手段と、を備えた映像記録再生装置であって、
前記記録媒体に前記映像信号を記録するときに、該映像信号に含まれている文字データを抽出する文字抽出手段と、
前記文字抽出手段により抽出された文字データを所定の記録媒体に記録する文字記録手段と、
前記記録媒体に記録されている文字データを読み出したときに、該読み出した文字データをもとに、ネットワークを介して該文字データに関連する付加情報を収集する情報収集手段と、
前記再生手段により読み出された映像信号の表示画面に、前記情報収集手段で収集した付加情報をテロップとして重畳表示させるテロップ表示手段と、
を備えたことを特徴とする映像記録再生装置。
【請求項２】
請求項１に記載の映像記録再生装置において、
前記記録媒体に記録されている文字データを利用して、前記記録媒体に記録されている映像信号の検索を行う情報検索手段を備えた映像記録再生装置。
【発明の詳細な説明】
【０００１】
【発明の属する技術分野】
本発明は、映像記録再生装置に関するものであり、詳しくは撮像した映像信号の中から文字情報を抽出すると共に、ネットワークを介して抽出した文字情報に基く付加情報を収集して再生した表示画面に重畳表示させるようにした映像記録再生装置に関する。
【０００２】
【従来の技術】
従来技術における映像記録再生装置において、タイトルなどを記録媒体付属のメモリに設定しておけば、再生時にその設定した文字が映像に対する付加情報として表示され、映像に対する理解を助けることになる。
【０００３】
【特許文献１】
特開２００２−１０９５８９号公報（第３頁  第１図）
【０００４】
【発明が解決しようとする課題】
しかしながら、従来技術で説明した映像記録再生装置において、付加情報を記録するメモリの容量の問題からごく限られた文字数しか記録できないため、表示できる情報が非常に少ない。そのため、撮影後に再生して見た場合に、場所はどこだったとか電話番号は何番だったとかなどの多くの付加情報を知ることができない。又、メモリ等に設定するにはユーザが自ら入力を行わなければならず手間がかかるという問題がある。
【０００５】
従って、撮影されている場所がどこか、何という建物かなどの情報を映っている映像の中の文字を利用して自動的に場所や物の情報を記録し、再生時にその情報をもとにネットワークを介して付加情報を取り寄せて引用して再生画面に重畳表示させる映像記録再生装置に解決しなければならない課題を有する。
【０００６】
【課題を解決するための手段】
上記課題を達成するために、本発明に係る映像記録再生装置は、次に示す構成にすることである。
【０００７】
（１）映像記録再生装置は、撮像手段により撮像した映像信号を所定の記録媒体に記録する記録手段と、前記記録媒体に記録してある映像信号を再生して表示する再生手段と、を備えた映像記録再生装置であって、前記記録媒体に前記映像信号を記録するときに、該映像信号に含まれている文字データを抽出する文字抽出手段と、前記文字抽出手段により抽出された文字データを所定の記録媒体に記録する文字記録手段と、前記記録媒体に記録されている文字データを読み出したときに、該読み出した文字データをもとに、ネットワークを介して該文字データに関連する付加情報を収集する情報収集手段と、前記再生手段により読み出された映像信号の表示画面に、前記情報収集手段で収集した付加情報をテロップとして重畳表示させるテロップ表示手段と、を備えたことである。
（２）又、（１）に記載の映像記録再生装置において、前記記録媒体に記録されている文字データを利用して、前記記録媒体に記録されている映像信号の検索を行う情報検索手段を備えた映像記録再生装置。
【０００８】
このように、撮像したときの映像信号から文字データを抽出して、記録しておき、再生時において、その記録してある文字データをもとにネットワークを介して付加情報を収集して再生画面に重畳表示させることで、再生している画面に映し出されているものや場所といった付加情報が画面を見ながら知ることが可能になる。
【０００９】
【発明の実施の形態】
次に、本願発明に係る映像記録再生装置の実施形態について、図面を参照して説明する。
【００１０】
本願発明に係る映像記録再生装置は、図１に示すように、撮像手段１１により撮像した映像信号を所定の磁気テープやディスク等で形成されている記録媒体１２に記録する記録手段１３と、記録媒体１２に記録してある映像信号を再生して表示する再生手段１４と、記録媒体１２に映像信号を記録するときに、この映像信号に含まれている文字データを抽出する文字抽出手段１５と、文字抽出手段１５により抽出された文字データを所定の記録媒体１２に記録する文字記録手段１６と、記録媒体１２に記録されている文字データを読み出したときに、この読み出した文字データをもとに、ネットワーク１７を介してこの文字データに関連する付加情報を収集する情報収集手段１８と、再生手段１４により読み出された映像信号の表示画面１９に、情報収集手段１８で収集した付加情報をテロップとして重畳表示させるテロップ表示手段２０と、記録媒体１２に記録されている文字データを利用して、記録媒体１２に記録されている映像信号の検索を行う情報検索手段２１と、から大略構成されている。
【００１１】
撮像手段１１は、任意の像を撮像し、映像信号を生成し、記録手段１３及び文字抽出手段１５へ出力するものであり、主に撮影対象の光学像を取得するレンズと、取得した光学像を電気信号に変換するＣＣＤ（Ｃｈａｒｇｅ  Ｃｏｕｐｌｅｄ  Ｄｅｖｉｃｅ）とから構成されている。
【００１２】
記録手段１３は、撮像手段１１で撮像した映像信号を記録媒体１２に記録する。文字記録手段１６は、文字抽出手段１５で抽出した文字データを記録媒体１２に記録する。これら、映像信号と文字データは、合体された状態、又は関連した状態で記録してもよい。
【００１３】
文字抽出手段１５は、撮像手段１１で生成した映像信号をもとに画像認識により文字を抽出し、映像信号及び抽出された文字データを文字記録手段１６に出力する。
画像認識する手法は、様々なものがあるが、例えば、モルフォロジーで画像解析を行って文字情報を抽出するようにしてもよい。
【００１４】
情報収集手段１８は、再生手段１４で映像信号を読み出したときに、記録媒体１２に記録されている文字データを読出し、その読み出した文字データをもとに、インターネット等のネットワーク１７を介して文字情報サーバ２２にアクセスして、文字データに関連する付加情報を収集する。
実施例においては、ネットワーク１７を介して付加情報を得るようにしたが、これに限定されることなく、例えば、公共施設や社会的に著名な施設、イベント等の付加情報を、予め用意しておき、その中から検索して収集するようにしてもよい。
この付加情報は、例えば、撮像したときの映像信号から抽出した文字データが「ＯＯ動物園」であれば、この「ＯＯ動物園」に関連する付加情報、例えば、住所、電話番号、交通の便、入場料等である。これらの付加情報は、適宜選択することも可能で、例えば住所のみを選択するということができる。これらの付加情報は再生映像である「ＯＯ動物園」が表示されているところに重畳表示させることで、「ＯＯ動物園」に関する情報を再生映像と同時に知ることができる。
【００１５】
テロップ表示手段２０は、情報収集手段１８で収集した付加情報を再生手段１４で再生する再生映像に合わせて重畳表示する。
【００１６】
このような構成からなる映像記録再生装置の動作及び映像記録再生手法について、以下説明する。
【００１７】
先ず、撮像手段１１が撮影した映像信号は、文字抽出手段１５に入力され文字データの抽出が行われる。このときの映像信号は、文字情報が含まれている映像信号のことで、その判断は文字抽出手段１５に送られてくる映像信号のうち、最初に文字データを抽出したものが基本的に対象になる。従って、最初に文字情報を含んだ映像を撮像しておくことで、その撮像した映像信号の内容を、文字データを抽出することで特定することが可能になる。例えば、最初に撮像する映像を、文字情報を含んだ映像、例えば「ｘｘ動物園」の看板を撮像しておくことで、この撮影の内容は「ｘｘ動物園」での撮影であることが確定できる。
そして、この撮像した映像信号は記録手段１３により記録媒体１２に記録されると共に、文字抽出手段１５で抽出された文字データは文字記録手段１６によって記録媒体１２に記録される。
【００１８】
そして、この撮像した映像信号を再生するときには、再生手段１４により記録媒体１２から再生すべく映像信号を読み出すと共に当該映像信号に該当する文字データを情報収集手段１８に読み込む。
情報収集手段１８は、読み込んだ文字データをもとに、ネットワーク２２を介して文字情報サーバ２２にアクセスし、当該文字データに関連する付加情報を収集する。付加情報は、既述したように、例えば、文字データが「ｘｘ動物園」であるとすると、その「ｘｘ動物園」の住所、電話番号、交通便、入場料等である。
このようにして、情報収集手段が文字情報サーバ２２から付加情報を収集すると、その収集された付加情報はテロップ表示手段２０に渡される。一方、映像信号を再生した再生手段１４は、記録媒体１２から再生した映像信号を表示画面１９に表示させる。このときに、テロップ表示手段２０で得られた付加情報が、現在表示されている表示画面１９の、実施例において下段位置に重畳表示される。このように、表示画面１９には、再生された文字情報を含んだ再生画像が表示され、その再生画像に付加情報が重畳表示されることで、再生画像の文字情報を見ると同時に、その表示されている文字情報のものの住所等の付加情報を同時に見ることができる。
【００１９】
具体的には、図２に示すように、例えば、「ＯＯ動物園」に行ったときに、入り口で「ＯＯ動物園」の看板を撮影したとする。この時、撮像手段１１から、図２のような映像信号が文字抽出手段１５へ渡され、そこで、「ＯＯ動物園」という文字データが抽出され、文字記憶手段１６に渡され、記録手段１３に渡された映像信号と共に記録媒体１２に書き込まれる。
このように、撮像して記録する時点では、得られる文字情報が映像上にあるのでわざわざそれをテロップとして表示する意味はないので記録時点ではテロップ表示（重畳表示）は行わない。
この他の場所、例えば、ホテルで看板を撮影したり、温泉の看板を撮影したりすることで、それぞれの場所の文字データが記録される。
もし、看板などがない場合は、手書きのメモ等を先ず撮影してから対象物（例えば、山）を撮影することで、対象物の文字データが記録される。
【００２０】
再生時には、再生手段１４が記録媒体１２から映像信号を読込み、情報収集手段１８が記録媒体１２から文字データを読込む。
情報収集手段１８は読み込んだ文字データ（実施例では、「ＯＯ動物園」）をもとに、ネットワーク１７を利用して「ＯＯ動物園」に関する情報、例えば、住所や入場料などの付加情報を収集する。
そして、図３に示すように、その収集した付加情報をテロップ表示手段２０に渡し、再生手段１４で表示する表示画面１９に付加情報を重畳表示させる。
【００２１】
さて、このようにして記録媒体１２に文字データと撮像した映像信号を記録しておくことで、この文字データは記録してある映像信号を検索するインデックスとして使用することが可能である。
これは、情報検索手段２１が行うものであり、先ず、記録媒体１２に記録してある映像信号を再生する際に、情報収集手段１８が記録媒体１２に記録してある文字データを読出し、例えば画面上に文字データを一覧表示させ、その一覧表示させたものの中から選択することで、記録媒体１２に記録されている映像信号を読み出すことができるのである。
【００２２】
【発明の効果】
上記説明したように、本発明に係る映像記録再生装置は、撮像した映像信号の中から文字データを抽出して記録し、再生時に、その文字データの付加情報を再生表示画面に重畳表示させることで、撮像した映像に関する付加情報、例えば撮像した地域や住所、が再生画面を見ると同時に知ることができるという効果がある。
【図面の簡単な説明】
【図１】本発明に係る映像記録再生装置の構成を略示的に示したブロック図である。
【図２】同、撮像時の文字情報を含んだ映像信号の例である。
【図３】同、図２における映像信号の再生画面に付加情報を重畳表示した様子を示す説明図である。
【符号の説明】
１１；撮像手段、１２；記録媒体、１３；記録手段、１４；再生手段、１５；文字抽出手段、１６；文字記録手段、１７；ネットワーク、１８；情報収集手段、１９；表示画面、２０；テロップ表示手段、２１；情報検索手段、２２；文字情報サーバ。
【図１】
2004235955.tif 000003
【図２】
2004235955.tif 000004
【図３】
2004235955.tif 000005